(57)【要約】【課題】重量が軽いとともに、内部の清掃が可能な排水機能付き縁石の提供。【解決手段】排水機能付き縁石Ａは、断面逆Ｌ字状のステンレス製の支持プレート１と、水平集水部２１、垂直集水部２２、およびガード部２３とを有し、複数個の集水孔２４を形成したステンレス製のカバープレート２と、支持プレート１とカバープレート２とを蝶着する開閉ヒンジ３と、垂直部４１、流水底部４２、および後壁面部４３とを有し、集水孔２４から集水した雨水を流す、繊維強化プラスチック製の流水プレート４とを備える。【選択図】        図１
2005002679.tif 000002
【特許請求の範囲】
【請求項１】
ステンレスで形成され、壁高欄地覆部に埋設される前面部と、水平の受部とからなる断面逆Ｌ字状の支持プレートと、
前部下面が前記受部に支持され後部が道路端方向へ水平に臨む水平集水部、この水平集水部の後端から上方向に延設する垂直集水部、およびこの垂直集水部の上端から道路端方向へ斜め上に延設するガード部とを有し、前記水平、垂直集水部に複数個の集水孔を形成したステンレス製のカバープレートと、
このカバープレートが回動可能な様に、前記前面部の表面と前記水平集水部の裏面とに各ヒンジ片を溶接した開閉ヒンジと、
前記前面部の裏面に固着される垂直部、この垂直部の下端から道路端方向へ水平に延設する流水底部、およびこの流水底部の末端から上方へ延設して前記ガード部の上部を裏面から支持する後壁面部とを有し、前記集水孔から集水した雨水を流す、繊維強化プラスチック製の流水プレートとからなる排水機能付き縁石。
【請求項２】
前記支持プレートの前記前面部と前記流水プレートの前記垂直部とをボルトとナットで固定し、
前記カバープレートの前記ガード部と前記流水プレートの前記後壁面部とを固定ボルトで開閉可能に固定したことを特徴とする請求項１に記載の排水機能付き縁石。
【請求項３】
ステンレスで形成され、壁高欄地覆部に埋設される前面部と、水平の受部とからなる断面逆Ｌ字状の支持プレートと、
前部下面が前記受部に支持され後部が歩道方向へ水平に臨む水平集水部、およびこの水平集水部の後端から上方向に延設する垂直集水部とを有し、前記水平、垂直集水部に複数個の集水孔を形成したステンレス製のカバープレートと、
このカバープレートが回動可能な様に、前記前面部の表面と前記水平集水部の裏面とに各ヒンジ片を溶接した開閉ヒンジと、
断面略Ｕ字状を呈し前面が前記カバープレートの前記垂直集水部を支持する上部ブロックと、前記前面部の裏面に固着される垂直部、この垂直部の下端から歩道方向へ水平に延設する流水底部、この流水底部の末端から上方へ延設する背壁面部、および前記上部ブロックの底を兼ね前記背壁面部の上端から道路方向に延設する流水天板部からなる下部ブロックとを繊維強化プラスチックで一体形成し、前記集水孔から集水した雨水を流す断面略己字状の流水プレートと、
前記上部ブロックの天板−  底間に配される複数の支棒とからなる排水機能付き縁石。
【請求項４】
前記支持プレートの前記前面部と前記下部ブロックの前記垂直部とをボルトとナットで固定し、
前記カバープレートの前記垂直集水部と前記上部ブロックの前記前面とを固定ボルトで開閉可能に固定したことを特徴とする請求項３に記載の排水機能付き縁石。
【発明の詳細な説明】
【０００１】
【発明の属する技術分野】
この発明は、道路端に設置する排水機能付き縁石に関する。
【０００２】
【従来の技術】
特許文献１には、タイヤ支承面と集水面を有する縁石部と排水溝としての水路部とを有する鋼製縁石兼排水溝ユニットが記載されている。
【０００３】
【特許文献１】
特開２００１−  ３４８８０８号公報（第１−３頁、図１−４）
【０００４】
【発明が解決しようとする課題】
特許文献１の鋼製縁石兼排水溝ユニットは、下記に示す課題がある。
溶融亜鉛メッキや塗装が必要である。
重量が重く、施工に手間がかかり、据え付け費がかかる。
内部の清掃が難しい。
粗度係数が大きく、多量に通水できない。
【０００５】
本発明の目的は、重量が軽いとともに、内部の清掃が可能な排水機能付き縁石の提供にある。
【０００６】
【課題を解決するための手段】
［請求項１について］
排水機能付き縁石は、ステンレスで形成され、壁高欄地覆部に埋設される前面部と、水平の受部とからなる断面逆Ｌ字状の支持プレートと、前部下面が前記受部に支持され後部が道路端方向へ水平に臨む水平集水部、この水平集水部の後端から上方向に延設する垂直集水部、およびこの垂直集水部の上端から道路端方向へ斜め上に延設するガード部とを有し、前記水平、垂直集水部に複数個の集水孔を形成したステンレス製のカバープレートと、このカバープレートが回動可能な様に、前記前面部の表面と前記水平集水部の裏面とに各ヒンジ片を溶接した開閉ヒンジと、前記前面部の裏面に固着される垂直部、この垂直部の下端から道路端方向へ水平に延設する流水底部、およびこの流水底部の末端から上方へ延設して前記ガード部の上部を裏面から支持する後壁面部とを有し、前記集水孔から集水した雨水を流す、繊維強化プラスチック製の流水プレートとからなる。
【０００７】
集水孔から集水した雨水を流す流水プレートは、繊維強化プラスチック製であるので、粗度係数が小さく、許容通水量を多くすることができる。
流水プレートが繊維強化プラスチック製であり、支持プレートおよびカバープレートがステンレス製であるので、重量を軽くできるともに、溶融亜鉛メッキや塗装を行う必要がない。このため、フロリダタイプの排水機能付き縁石を安価に製造できるとともに、据え付け費の低減が図れる。
【０００８】
流水プレートが繊維強化プラスチック製であるので、積雪時の塩化カルシウム散布による腐食は無く、極寒時でも強度が低下しない。
開閉ヒンジにより、カバープレートの開閉が可能であり、流水プレート内の清掃を容易にできる。
【０００９】
［請求項２について］
支持プレートの前面部と流水プレートの垂直部とをボルトとナットで固定し、カバープレートのガード部と流水プレートの後壁面部とを固定ボルトで開閉可能に固定している。
このため、ステンレス製の支持プレートおよびカバープレートと、繊維強化プラスチック製の流水プレートとを強固に一体化することができる。
また、流水プレート内の清掃を行う際には、固定ボルトを緩めることによりカバープレートを開くことができる。
【００１０】
［請求項３について］
排水機能付き縁石は、ステンレスで形成され、壁高欄地覆部に埋設される前面部と、水平の受部とからなる断面逆Ｌ字状の支持プレートと、前部下面が前記受部に支持され後部が歩道方向へ水平に臨む水平集水部、およびこの水平集水部の後端から上方向に延設する垂直集水部とを有し、前記水平、垂直集水部に複数個の集水孔を形成したステンレス製のカバープレートと、このカバープレートが回動可能な様に、前記前面部の表面と前記水平集水部の裏面とに各ヒンジ片を溶接した開閉ヒンジと、断面略Ｕ字状を呈し前面が前記カバープレートの前記垂直集水部を支持する上部ブロックと、前記前面部の裏面に固着される垂直部、この垂直部の下端から歩道方向へ水平に延設する流水底部、この流水底部の末端から上方へ延設する背壁面部、および前記上部ブロックの底を兼ね前記背壁面部の上端から道路方向に延設する流水天板部からなる下部ブロックとを繊維強化プラスチックで一体形成し、前記集水孔から集水した雨水を流す断面略己字状の流水プレートと、前記上部ブロックの天板−  底間に配される複数の支棒とからなる。
【００１１】
集水孔から集水した雨水を流す流水プレートの下部ブロックは、繊維強化プラスチック製であるので粗度係数が小さく、許容通水量を多くすることができる。流水プレートが繊維強化プラスチック製であり、支持プレートおよびカバープレートがステンレス製であるので、重量を軽くできるとともに、溶融亜鉛メッキや塗装を行う必要がない。このため、歩車道境界ブロックタイプの排水機能付き縁石を安価に製造できるとともに、据え付け費の低減が図れる。
【００１２】
流水プレートが繊維強化プラスチック製であるので、積雪時の塩化カルシウム散布による腐食は無く、極寒時でも強度が低下しない。
開閉ヒンジにより、カバープレートの開閉が可能であり、流水プレートの下部ブロック内の清掃を容易にできる。
【００１３】
［請求項４について］
支持プレートの前面部と下部ブロックの垂直部とをボルトとナットで固定し、カバープレートの垂直集水部と上部ブロックの前面とを固定ボルトで開閉可能に固定している。
このため、ステンレス製の支持プレートおよびカバープレートと、繊維強化プラスチック製の流水プレートとを強固に一体化することができる。
また、流水プレートの下部ブロック内の清掃を行う際には、固定ボルトを緩めることによりカバープレートを開くことができる。
【００１４】
【発明の実施の形態】
つぎに、本発明の第１実施例（請求項１、２に対応）に係る排水機能付き縁石Ａを、図１〜図４に基づいて説明する。
排水機能付き縁石Ａは、図に示す如く、前面部１１と受部１２を有する支持プレート１と、水平集水部２１、垂直集水部２２、およびガード部２３を有するカバープレート２と、カバープレート２の開閉を行うための開閉ヒンジ３と、集水した雨水を流すための流水プレート４とからなる。
【００１５】
そして、この排水機能付き縁石Ａは、鉄筋入りのコンクリートで形成された高欄５の内壁側に、コンクリート埋設形の筒状ナット５１と固定ボルト５２とにより固定される（図３、図４参照）。なお、カバープレート２のガード部２３を流水プレート４の後壁面部４３（後述する）に固定するための固定ボルト５２は、排水機能付き縁石Ａの高欄５への固定も兼ねている。
【００１６】
支持プレート１は、断面逆Ｌ字状を呈し、ＳＵＳ３０４で形成されている。
支持プレート１の前面部１１（本実施例では、高さ７５ｍｍ×長さ９７０ｍｍ）は、壁高欄地覆部である透水性アスファルト５０上への浸透水を集水するための小判状の集水孔１３が複数個穿設され、透水性アスファルト５０に鉛直状態で埋設されている。
支持プレート１の受部１２（本実施例では、幅３５ｍｍ×長さ９７０ｍｍ）は、水平に配され、カバープレート２の水平集水部２１を支持する。
【００１７】
カバープレート２は、ＳＵＳ３０４で形成されている。
カバープレート２の水平集水部２１は、長方形（本実施例では、幅１００ｍｍ×長さ９７０ｍｍ）の板状を呈し、支持プレート１の受部１２に前部下面が支持され、後部が道路端方向へ水平に延設している。
【００１８】
カバープレート２の垂直集水部２２は、長方形（本実施例では、高さ３０ｍｍ×長さ９７０ｍｍ）の板状を呈し、水平集水部２１の後端から上方向に延設している。
本実施例では、垂直集水部２２の上端から水平集水部２１の中央部まで達する複数個の集水孔２４が等間隔に穿設されている。
【００１９】
カバープレート２のガード部２３は、長方形（本実施例では、幅２２０ｍｍ×長さ９７０ｍｍ）の板状を呈し、垂直集水部２２の上端から道路端方向へ、６０度の角度で斜め上に延設している。なお、ガード部２３の上部には、固定ボルト５２を挿通するための貫通孔５３が三カ所、穿設されている。
【００２０】
開閉ヒンジ３（ＳＵＳ３０４製）は、支持プレート１の前面部１１の表面と、カバープレート２の水平集水部２１の裏面とに各ヒンジ片を溶接して、二箇所に取り付けられ、カバープレート２を回動可能に蝶着している。
【００２１】
流水プレート４は、垂直部４１、流水底部４２、および後壁面部４３とを有し、ＦＲＰで形成されている。
長方形の板状を呈する流水プレート４の垂直部４１（本実施例では、高さ７０ｍｍ×長さ１０３０ｍｍ）は、支持プレート１の前面部１１の背面側に位置し、複数の、ボルト５４とナットにより、支持プレート１の前面部１１の裏面に固定されている。
【００２２】
流水プレート４の流水底部４２は、長方形の板状（本実施例では、幅２１５０ｍｍ×長さ１０３０ｍｍ）を呈し、垂直部４１の下端から道路端方向へ水平に延設している。
【００２３】
流水プレート４の後壁面部４３は、流水底部４２の末端から上方へ延設する垂直部（本実施例では、高さ１７０ｍｍ×長さ１０３０ｍｍ）と、垂直部の上端からガード部２３方向へ延設する斜板部（本実施例では、幅６０ｍｍ×長さ１０３０ｍｍ）と、斜板部の上端からガード部２３に沿う様に延設し、ガード部２３の上部を裏面から支持する支持部（本実施例では、幅１００ｍｍ×長さ１０３０ｍｍ）とを備える。
なお、流水プレート４の後壁面部４３の支持部には、カバープレート２のガード部２３の貫通孔５３を挿通した固定ボルト５２が通る貫通孔４４が三カ所、穿設されている。
【００２４】
なお、支持プレート１の図示右端から食み出た部分４５は、図示右端に連結して設置する排水機能付き縁石Ａのためのガイドである。
また、排水機能付き縁石Ａにおいて、支持プレート１の前面部１１、受部１２、カバープレート２の水平集水部２１、垂直集水部２２、ガード部２３、および流水プレート４の垂直部４１、流水底部４２、後壁面部４３、傾板部、支持部の各寸法は、適宜、変更可能である。
【００２５】
本実施例の排水機能付き縁石Ａは、以下に示す利点を有する。
〔ア〕集水した雨水を流す流水プレート４は、流水部がＦＲＰであるので、粗度係数を下記に示す様に小さくすることができる。
鋼に溶融亜鉛メッキ（従来品）→粗度係数＝０．０１５
排水機能付き縁石Ａ→粗度係数＝０．０１０
このため、許容通水量を、鋼（ＳＳ４００）に溶融亜鉛メッキした従来の鋼製排水溝の１５０％にすることができ、道路の水掃けを良くすることができる。
【００２６】
〔イ〕流水プレート４がＦＲＰであり、支持プレート１およびカバープレート２がＳＵＳ３０４であるので、重量を従来の１／４程度に軽くできるとともに、溶融亜鉛メッキ等による防錆処理や塗装（フッ素塗装等）を行う必要がない。
このため、フロリダタイプの排水機能付き縁石Ａを安価（従来の３／４程度）に製造できるとともに、据え付け費の低減が図れる。
なお、排水機能付き縁石Ａの機械的強度は高く、輪荷重１０．０ｔにも耐えられる。
【００２７】
〔ウ〕流水プレート４がＦＲＰであるので、積雪時の塩化カルシウム散布による腐食は無く、−４０℃程度の気温でも強度が低下しない。
【００２８】
〔エ〕支持プレート１の前面部１１と流水プレート４の垂直部４１とをボルト５４とナットで締結し、且つ、支持プレート１の前面部１１の表面と、カバープレート２の水平集水部２１の裏面とに開閉ヒンジ３のヒンジ片を溶接しているので、カバープレート２の開閉が可能（図２参照）であり、流水プレート４内の清掃（図４参照）を容易に行うことができる。
【００２９】
〔オ〕流水プレート４が破損した場合には、部分的な破損部を、丸鋸やサンダー等で切断し、ガラス繊維とポリエステル樹脂を積層して修理することができる。
【００３０】
つぎに、本発明の第２実施例（請求項３、４に対応）に係る排水機能付き縁石Ｂを、図５および図６に基づいて説明する。
排水機能付き縁石Ｂは、図に示す如く、前面部１１と受部１２を有する支持プレート１と、水平集水部６１および垂直集水部６２を有するカバープレート６と、カバープレート６の開閉を行うための開閉ヒンジ３と、集水した雨水を流すための流水プレート７とからなる。
そして、この排水機能付き縁石Ｂは、コンクリート製の歩道８と道路との境界にマウント（図６参照）される。
【００３１】
支持プレート１は、断面逆Ｌ字状を呈し、ＳＵＳ３０４で形成されている。
支持プレート１の前面部１１（本実施例では、高さ７０ｍｍ×長さ９７０ｍｍ）は、壁高欄地覆部である透水性アスファルト５０上への浸透水を集水するための小判状の集水孔１３が複数個穿設され、透水性アスファルト５０に鉛直状態で埋設されている。
支持プレート１の受部１２（本実施例では、幅３５ｍｍ×長さ９７０ｍｍ）は、水平に配され、カバープレート６の水平集水部６１を支持する。
【００３２】
カバープレート６は、ＳＵＳ３０４で形成されている。
カバープレート６の水平集水部６１は、長方形（本実施例では、幅１００ｍｍ×長さ９７０ｍｍ）の板状を呈し、支持プレート１の受部１２に前部下面が支持され、後部が歩道方向へ水平に延設している。
【００３３】
カバープレート６の垂直集水部６２は、長方形（本実施例では、高さ１００ｍｍ×長さ９７０ｍｍ）の板状を呈し、水平集水部６１の後端から上方向に延設している。
本実施例では、垂直集水部６２の中央部から水平集水部６１の中央部まで達する複数個の集水孔６４が等間隔に穿設されている。
なお、垂直集水部６２の上部には、固定ボルト８１を挿通するための貫通孔（図示せず）が四カ所、穿設されている。
【００３４】
開閉ヒンジ３（ＳＵＳ３０４製）は、支持プレート１の前面部１１の表面と、カバープレート６の水平集水部６１の裏面とに各ヒンジ片を溶接して、二箇所に取り付けられ、カバープレート６を回動可能にしている。
【００３５】
流水プレート７は、全体が断面略己字状を呈し、上部ブロック７１と下部ブロック７２とからなり、ＦＲＰで一体形成されている。
上部ブロック７１は、厚肉の断面略Ｕ字状を呈し、断面「状の前面下部が、カバープレート６の垂直集水部６２の背面および上面を支持している。
なお、流水プレート７の上部ブロック７１の天板−  底間に、複数の支棒７０が配設されている。
【００３６】
下部ブロック７２は、垂直部７３、流水底部７４、背壁面部７５、および上部ブロック７１の底を兼ねた流水天板部７６を有する。
長方形の板状を呈する垂直部７３（本実施例では、高さ７０ｍｍ×長さ９７０ｍｍ）は、支持プレート１の前面部１１の背面側に位置し、複数のボルト５４とナットにより、支持プレート１の前面部１１に固定されている。
【００３７】
流水プレート７の下部ブロック７２の流水底部７４は、長方形の板状（本実施例では、幅３００ｍｍ×長さ９７０ｍｍ）を呈し、垂直部７３の下端から歩道方向へ水平に延設している。
流水プレート７の下部ブロック７２の背壁面部７５は、長方形の板状（本実施例では、幅１００ｍｍ×長さ９７０ｍｍ）を呈し、流水底部７４の末端から上方へ延設している。
【００３８】
また、排水機能付き縁石Ｂにおいて、支持プレート１の前面部１１、受部１２、カバープレート６の水平集水部６１、垂直集水部６２、および流水プレート７の下部ブロック７２の垂直部７３、流水底部７４、背壁面部７５の各寸法は、適宜、変更可能である。
【００３９】
本実施例の排水機能付き縁石Ｂは、以下に示す利点を有する。
〔カ〕集水した雨水を流す流水プレート７の下部ブロック７２がＦＲＰであるので、鋼（ＳＳ４００）に溶融亜鉛メッキを施した従来の鋼製排水溝に比べ、粗度係数を小さくすることができる。
このため、許容通水量を、従来の鋼製排水溝の１．５倍程度に増大することができ、道路の水掃けを良くすることができる。
【００４０】
〔キ〕流水プレート７がＦＲＰであり、支持プレート１およびカバープレート６がＳＵＳ３０４であるので、重量を１／４程度に軽くできるともに、溶融亜鉛メッキ等による防錆処理や塗装（フッ素塗装等）を行う必要がない。
このため、歩車道境界ブロックタイプの排水機能付き縁石Ｂを、従来の鋼製排水溝よりも三割程度、安く製造できるとともに、据え付け費の低減が図れる。
なお、排水機能付き縁石Ｂの機械的強度は高く、輪荷重１０．０ｔにも耐えられる。
【００４１】
〔ク〕流水プレート７がＦＲＰであるので、積雪時の塩化カルシウム散布による腐食は無く、−４０℃程度の気温でも強度が低下しない。
【００４２】
〔ケ〕支持プレート１の前面部１１と流水プレート７の下部ブロック７２の垂直部７３とをボルト５４とナットで締結し、且つ、支持プレート１の前面部１１の表面と、カバープレート６の水平集水部６１の裏面とに開閉ヒンジ３のヒンジ片を溶接しているので、カバープレート６の開閉が可能であり、開閉状態にして、流水プレート７の下部ブロック７２内の清掃を容易に行うことができる。
【図面の簡単な説明】
【図１】本発明の第１実施例に係る排水機能付き縁石の斜視図である。
【図２】その排水機能付き縁石のカバープレートを開けた状態の排水機能付き縁石の斜視図である。
【図３】その排水機能付き縁石を道路に設置した状態を示す断面図である。
【図４】その排水機能付き縁石の流水プレート内を清掃している様子を示す説明図である。
【図５】本発明の第２実施例に係る排水機能付き縁石の斜視図である。
【図６】その排水機能付き縁石を道路に設置した状態を示す断面図である。
【符号の説明】
Ａ、Ｂ  排水機能付き縁石
１  支持プレート
２  カバープレート
３  開閉ヒンジ
４  流水プレート
６  カバープレート
７  流水プレート
１１  前面部
１２  受部
２１  水平集水部
２２  垂直集水部
２３  ガード部
２４  集水孔
４１  垂直部
４２  流水底部
４３  後壁面部
５０  透水性アスファルト（壁高欄地覆部）
５４  ボルト
６１  水平集水部
６２  垂直集水部
６４  集水孔
７０  支棒
７１  上部ブロック
７２  下部ブロック
７３  垂直部
７４  流水底部
７５  背壁面部
７６  流水天板部
８１  固定ボルト
【図１】
2005002679.tif 000003
【図２】
2005002679.tif 000004
【図３】
2005002679.tif 000005
【図４】
2005002679.tif 000006
【図５】
2005002679.tif 000007
【図６】
2005002679.tif 000008